(57)【要約】【課題】  口頸部や口頸部の近傍の部分に残された内容物を容易に取り出して、収容された内容物を無駄なく使用することのできる可撓性容器を提供する。【解決手段】  口頸部１２の先端の吐出口１３から、可撓変形可能な容器本体１１に収容された粘度が2000〜420000 mＰa・ｓの内容物を押し出す合成樹脂製の可撓性容器１０であって、口頸部１２に向かって断面積が減少する容器本体１１の口頸部１２の近傍位置に、容器本体の周方向に延設して切断誘導線１５が設けられている。口頸部１２の近傍位置は、口頸部１２から容器本体１１の高さの１０〜２０％の領域であり、容器本体１１は、好ましくは、楕円形状の長軸方向の両端が、折曲げ誘導リブ部１６として外側に尖った状態で突出する瞳断面形状を備えている。【選択図】      図１
2007062783.tif 000002
【特許請求の範囲】
【請求項１】
口頸部の先端の吐出口から可撓変形可能な容器本体に収容された内容物を押し出す合成樹脂製の可撓性容器であって、
前記口頸部に向かって断面積が減少する前記容器本体の前記口頸部の近傍位置に、前記容器本体の周方向に延設して切断誘導線が設けられている可撓性容器。
【請求項２】
前記口頸部の近傍位置は、前記口頸部から前記容器本体の高さの１０〜２０％の領域である請求項１記載の可撓性容器。
【請求項３】
前記容器本体は、楕円形状の長軸方向の両端が外側に尖った状態で突出する瞳断面形状を備えている請求項１又は２に記載の可撓性容器。
【請求項４】
前記口頸部の近傍位置の外周面から突出して、前記切断誘導線と連続する摘み片が設けられている請求項１〜３のいずれかに記載の可撓性容器。
【請求項５】
前記容器本体に収容される内容物の粘度が2000〜420000 mＰa・ｓである請求項１〜４のいずれかに記載の可撓性容器。
【発明の詳細な説明】
【技術分野】
【０００１】
本発明は、口頸部の先端の吐出口から可撓変形可能な容器本体に収容された内容物を押し出す合成樹脂製の可撓性容器に関する。
【背景技術】
【０００２】
例えば粘度が2000mPa・s〜420000 mPa・s程度の比較的高粘度の液体であるマヨネーズ、ケチャップ、ピザソース、ソフトバター、クリーム、ソフトチョコレート等を収容する容器として、軟質の合成樹脂からなる可撓性容器が知られている。可撓性容器は、内容物を収容する容器本体に吐出口を備える口頸部を一体成形してなるものであり、例えば口頸部の雄ネジを介して螺着されたキャップを取り外し、容器本体を把持して押圧することにより、吐出口から内容物を吐出させる。
【０００３】
可撓性容器の容器本体から内容物を効率良く吐出させるためには、吐出後に容器本体ができるだけ平坦に変形できるようにすることが望ましいことから、容器本体に溝部や反転部を設けて押し潰し易いようにした可撓性容器が開示されている（例えば、特許文献１、特許文献２参照）。
【特許文献１】特開２００１−２１９９４８号公報
【特許文献２】特開２００３−１６５５５１号公報
【発明の開示】
【発明が解決しようとする課題】
【０００４】
しかしながら、上記従来の可撓性容器では、容器本体を折り畳んだり押し潰したりすることにより、容器本体の内部の内容物を効率良く吐出させることが可能であるが、口頸部や口頸部の近傍の部分は、断面積が減少していることから合成樹脂の肉厚が厚くなっており、また口頸部に雄ネジが設けられている場合もあることから、押圧変形させ難く、特に内容物がマヨネーズ等の比較的高粘度の液体である場合、これらの部分に残された内容物を無駄なく使用することは困難だった。
【０００５】
本発明は、口頸部や口頸部の近傍の部分に残された内容物を容易に取り出して、収容された内容物を無駄なく使用することのできる可撓性容器を提供することを目的とする。
【課題を解決するための手段】
【０００６】
本発明は、口頸部の先端の吐出口から可撓変形可能な容器本体に収容された内容物を押し出す合成樹脂製の可撓性容器であって、前記口頸部に向かって断面積が減少する前記容器本体の前記口頸部の近傍位置に、前記容器本体の周方向に延設して切断誘導線が設けられている可撓性容器を提供することにより、上記目的を達成したものである。
【発明の効果】
【０００７】
本発明の可撓性容器によれば、口頸部や口頸部の近傍の部分に残された内容物を容易に取り出して、収容された内容物を無駄なく使用することができる。
【発明を実施するための最良の形態】
【０００８】
図１（ａ），（ｂ）に示す本発明の好ましい第１実施形態に係る可撓性容器１０は、内容物として、例えば粘度が2000mPa・s〜420000 mPa・sの比較的高粘度の液体の一つであるマヨネーズを収容した軟質合成樹脂製の容器であり、容器本体１１と、容器本体１１の吐出方向先端側に一体成形される口頸部１２とによって構成される。そして、本第１実施形態の可撓性容器１０は、例えば容器本体１１を把持してキャップ１４を取り外した後に、好ましくは口頸部１２の先端の吐出口１３を下方に傾けた状態で容器本体１１を押圧することにより、内容物を吐出させる。また内容物を吐出させたら、好ましくは口頸部１２を下方に配置した倒立状態で保管しておくことにより、残った内容物を口頸部１２に向けて下方に誘導し、次の使用時に内容物がスムーズに吐出口１３から吐出されるようにする。
【０００９】
一方、軟質合成樹脂製の可撓性容器１０は、好ましくはブロー成形によって成形されるものであり、一般に口頸部１２に向かって断面積が減少する形状を備えている。したがって、口頸部１２や口頸部１２の近傍の部分は、合成樹脂の肉厚が厚くなっており、且つ口頸部１２に雄ネジが設けられることから、押圧変形させ難く、これらの部分に残った内容物を押し出すことは困難である。本第１実施形態の可撓性容器１０は、内容物が残り少なくなって、口頸部１２や口頸部１２の近傍の部分にのみ蓄積されている場合に、これらの部分に残された内容物を容易に取り出して、無駄なく使用できるようにするものである。
【００１０】
そして、本第１実施形態の可撓性容器１０は、口頸部１２の先端の吐出口１３から可撓変形可能な容器本体１１に収容された内容物を押し出す合成樹脂製の容器であって、口頸部１２に向かって断面積が減少する容器本体１３の口頸部１２の近傍位置に、容器本体１１の周方向に延設して切断誘導線１５が設けられている。
【００１１】
また、本第１実施形態では、容器本体１１は、楕円形状の長軸方向の両端が折曲げ誘導リブ部１６として外側に尖った状態で突出する扁平な瞳断面形状を備えている。
【００１２】
容器本体１１は、軟質合成樹脂として例えばＬＤＰＥ（低密度ポリエチレン）を用いて口頸部１２と共にブロー成形してなるものであり、可撓変形可能な可撓性容器となっている。また内部に内容物が充填収容された容器本体１１を把持して押圧することにより、可撓性容器としての容器本体１１を変形させて、口頸部１２の吐出口１３から内容物を容易に吐出させることができるようになっている。
【００１３】
容器本体１１に収容される内容物は、例えば20℃で2000〜420000 mPa・sの粘度のものであり、また20℃で2000〜250000 mPa・sの粘度であるものが好ましい。また、実際の使用状態では、容器本体１１に収容された内容物の粘度は、10℃で4000〜320000 mPa・sであることが好ましい。即ち、容器本体１１に収容された内容物の粘度は温度によって変化するが、本発明によれば、内容物は、粘度が4000〜3200000 mPa・sの状態で吐出されるものであることが好ましい。
【００１４】
容器本体の周方向に延設して設けられる切断誘導線１５は、例えば半円断面、Ｕ字断面、Ｖ字断面等を有する溝状線や鋭角な谷底線等からなるものであり、好ましくは、ブロー成形と同時に形成される。また、切断誘導線１５は、切断前の内容物の吐出時に、容器本体１１への押圧力によって破断しない程度の肉厚を保持している必要があり、また容器本体１１の内側面に沿った吐出口１３に向かう内容物のスムーズな移動を阻害しないように、容器本体１１の内側面を滑らかに保持した状態で設けることが好ましい。さらに、切断誘導線１５は、容器本体１１の素材とは異なる素材を当該切断誘導線１５に沿って設けることにより、容易に切断できるように構成することもできる。さらに、切断誘導線１５は、手で容易に引き裂くことが可能な部分である必要は必ずしもなく、例えば２本のリブにより構成して、これらの間の部分によって、ハサミやナイフなどの切断器具による切断方向を案内するようにしたものであっても良い。
【００１５】
本第１実施形態では、切断誘導線１５は、合成樹脂の肉厚が相当の厚さで厚くなった口頸部１２の近傍位置として、口頸部１２から容器本体１１の高さの１０〜２０％の範囲にある帯状の領域に設けられていることが好ましい。切断誘導線１５が口頸部１２から容器本体１１の高さの１０〜２０％の領域に設けられていることにより、容器本体１１の他の部分と比べて肉厚が厚くなっている口頸部１２の近傍に残された内容物を切断誘導線１５を介して切断された広い開口部から容易に取り出すことができる。また、切断誘導線１５は、容器本体１１の周方向に全周に亘って設けられている必要は必ずしもなく、口頸部１２の近傍位置での切断を容易にする範囲として、例えば半周以上に亘って設けられていれば良い。
【００１６】
そして、上述の構成を備える本第１実施形態の可撓性容器１０によれば、口頸部１２や口頸部１２の近傍の部分に残された内容物を容易に取り出して、収容された内容物を無駄なく使用することができる。すなわち、本第１実施形態では、容器本体１１の口頸部１２の近傍位置に切断誘導線１５が設けられているので、内容物が残り少なくなって、口頸部１２や口頸部１２の近傍の部分にのみ内容物が蓄積された状態において、切断誘導線１５に沿って容器本体１１を切断することにより、広い切断開口が形成されることになる。この切断開口から内容物を取り出したり、内容物に直接的に吐出圧を負荷して吐出口１３から吐出させることにより、残った内容物を無駄なく使用することが可能になる。
【００１７】
また、本第１実施形態では、容器本体１１は、両端が折曲げ誘導リブ部１６として外側に尖った状態で突出する扁平な瞳断面形状を備えているので、この折曲げ誘導リブ部１６を切断開始部分として、切断誘導線１５に沿った容器本体１１の切断をよりスムーズに行うことが可能になる。
【００１８】
図２は、本発明の好ましい第２実施形態に係る可撓性容器１０’を示すものである。本第２実施形態の可撓性容器１０’は、上記第１実施形態の可撓性容器１０の構成に加えて、好ましくはブロー成形時におけるパーティングラインとなる瞳断面形状の容器本体１１の折曲げ誘導リブ部１６上に、口頸部１２の近傍位置の外周面から突出して、切断誘導線１５と連続する摘み片１７が設けられている。本第２実施形態の可撓性容器１０’によっても、上記第１実施形態の可撓性容器１０と同様の作用効果が奏されると共に、摘み片１７が設けられていることにより、これを摘んで切断誘導線１５に沿った容器本体１１の切断をさらにスムーズに行うことが可能になる。
【００１９】
なお、本発明は上記各実施形態に限定されることなく種々の変更が可能である。例えば、本発明の可撓性容器の容器本体は、両端に折曲げ誘導リブ部を有する瞳断面形状を備えている必要は必ずしもなく、円形、楕円形、長円形等、その他の種々の断面形状を備えていても良い。また、内容物は、マヨネーズの他、ケチャップ、ピザソース、ソフトバター、クリーム、ソフトチョコレート等の種々の内容物であっても良く、歯磨き粉等の高粘度のものであっても良い。
【図面の簡単な説明】
【００２０】
【図１】（ａ）は本発明の好ましい第１実施形態に係る可撓性容器の正面図、（ｂ）は（ａ）のＡ−Ａに沿った断面図である。
【図２】（ａ）は本発明の好ましい第２実施形態に係る可撓性容器の正面図である。
【符号の説明】
【００２１】
１０，１０’  可撓性容器
１１  容器本体
１２  口頸部
１３  吐出口
１４  キャップ
１５  切断誘導線
１６  折曲げ誘導リブ部
１７  摘み片
【図１】
2007062783.tif 000003
【図２】
2007062783.tif 000004